(57)【要約】      （修正有）【課題】軽量な合成樹脂管の配管を並列重連状態で複数本を吊下支持する場合において、必要充分な抱持支持を確保しつつ、より簡易な構成を提供する。【解決手段】複数本の配管を天井スラブ等の取付面５から吊下支持する配管吊下支持具１において、取付面から吊りボルト６に１点吊下支持して第１の配管Ｐ１を抱持支持可能な第１配管支持具１０と、第１配管支持具に隣接して接続し、第１の配管とは別なる配管を抱持支持可能な別なる配管支持具と、を有して成り、各々のバンド抱持部１１、２１、３１に長孔部が円環方向に形成され、長孔部の任意の位置に連結部材４の一端が挿通係止すると共に、別なる配管支持具の長孔部の任意の位置に前記連結部材の他端を挿通係止することにより、第１配管支持具と別なる配管支持具とを隣接した状態で接続することを特徴とする。【選択図】図１
2020133757.tif 000002
【特許請求の範囲】
【請求項１】
複数本の配管を天井スラブ等の取付面から吊下支持する配管吊下支持具において、
配管吊下支持具が、
配管を抱持するバンド抱持部と該バンド抱持部の上端部に連接されたバンド端部を有して成り、前記取付面に吊下固定される吊りボルトに、タンバックルの如き吊下接続部材を介して前記バンド端部を接続することにより前記取付面から略鉛直状態で１点吊下支持が可能であると共に、前記バンド抱持部に第１の配管を抱持支持可能な第１配管支持具と、
該第１配管支持具のバンド抱持部に隣接した状態で接続されるバンド抱持部を有し、このバンド抱持部に前記第１の配管とは別なる配管を抱持支持可能な別なる配管支持具と、
を有して成る構成であり、
更に、前記第１配管支持具のバンド抱持部と別なる配管支持具のバンド抱持部の各々には、円環方向に長孔部が形成されており、
第１配管支持具のバンド抱持部の長孔部の任意の位置に、連結部材の一端が挿通係止すると共に、別なる配管支持具のバンド抱持部の長孔部の任意の位置に前記連結部材の他端を挿通係止することにより、第１配管支持具と別なる配管支持具とを隣接した状態で接続可能な構成を有することを特徴とする配管吊下支持具。
【請求項２】
前記連結部材が、割りピン・割り鋲・ブラッズピン・トグラー・針金材の如き結線材・結束バンド・ネジとナット・ボルトとナットのいずれかであることを特徴とする請求項１に記載の配管吊下支持具。
【請求項３】
別なる配管支持具が、第１配管支持具の一方の側方に接続されて第２の配管を抱持支持する第２配管支持具、第１配管支持具の他方の側方に接続されて第３の配管を抱持支持する第３配管支持具であることを特徴とする請求項１又は２に記載の配管吊下支持具。
【請求項４】
別なる配管支持具が、バンド抱持部の両端部にバンド端部が連設された第１配管支持具と同様の構成を有することを特徴とする請求項１〜３のいずれかに記載の配管吊下支持具。
【請求項５】
前記取付面に一端が固定されて斜めに吊下げられる１本又は複数本の斜め吊下支持杆の他端を別なる配管支持具のバンド端部に接続することにより前記取付面から斜め支持が付加される構成であることを特徴とする請求項４に記載の配管吊下支持具。
【発明の詳細な説明】
【技術分野】
【０００１】
本発明は配管吊下支持具に関し、詳しくは天井スラブ等の取付面に、複数本の水道管、ガス管、冷・暖房管等の各種配管を並列重連状態で吊下支持する配管吊下支持具に関する。
【背景技術】
【０００２】
近年、配管類として鋼管に代わって合成樹脂管（ポリエチレン管、架橋ポリエチレン管、ポリブデン管、塩化ビニル管、プロピレン管、ＡＢＳ管等）が用いられるようになってきており、今後、大部分の配管類が鋼管から合成樹脂管に代わることが想定される。
【０００３】
合成樹脂管は、高い耐蝕性を有し、しかも鋼管と同等乃至同等以上の耐熱性及び耐衝撃性を有するのに鋼管に比して軽量であり、更に加工が容易であるため、取扱性等の点で優れている。
【０００４】
本発明者は、このような合成樹脂管の配管を吊下支持する技術について鋭意研究を続けたところ、合成樹脂管は上記したように軽量であるため、従来の鋼管用の支持具が求められるほどの堅牢度・強度等が不要であること、特に、複数本の並列状態で支持する場合において顕著であることを見出した。
【０００５】
そこで本発明者は、天井スラブ等の取付面に吊りボルト等の支持部材による吊下支持によって複数本の配管を並列重連状態で吊下支持する技術を先に提案した（例えば、特許文献１、２等参照）。
【先行技術文献】
【特許文献】
【０００６】
【特許文献１】特許第６３２６６８１号
【特許文献２】特許第６１６０７１９号
【発明の概要】
【発明が解決しようとする課題】
【０００７】
本発明者は、かかる合成樹脂管の配管を並列重連状態で複数本を吊下支持する技術について更に鋭意研究を続けたところ、より簡易な構成の配管吊下支持具であっても複数本の並列重連状態での支持支持が可能であることを見出した。
【０００８】
そこで本発明の課題は、軽量な合成樹脂管の配管を並列重連状態で複数本を吊下支持する場合において、必要充分な抱持支持を確保しつつ、より簡易な構成とすることによって低コスト化を図ることができる配管吊下支持具を提供することにある。
【課題を解決するための手段】
【０００９】
上記課題を解決する本発明は下記構成を有する。
【００１０】
１．複数本の配管を天井スラブ等の取付面から吊下支持する配管吊下支持具において、
配管吊下支持具が、
配管を抱持するバンド抱持部と該バンド抱持部の上端部に連接されたバンド端部を有して成り、前記取付面に吊下固定される吊りボルトに、タンバックルの如き吊下接続部材を介して前記バンド端部を接続することにより前記取付面から略鉛直状態で１点吊下支持が可能であると共に、前記バンド抱持部に第１の配管を抱持支持可能な第１配管支持具と、
該第１配管支持具のバンド抱持部に隣接した状態で接続されるバンド抱持部を有し、このバンド抱持部に前記第１の配管とは別なる配管を抱持支持可能な別なる配管支持具と、
を有して成る構成であり、
更に、前記第１配管支持具のバンド抱持部と別なる配管支持具のバンド抱持部の各々には、円環方向に長孔部が形成されており、
第１配管支持具のバンド抱持部の長孔部の任意の位置に、連結部材の一端が挿通係止すると共に、別なる配管支持具のバンド抱持部の長孔部の任意の位置に前記連結部材の他端を挿通係止することにより、第１配管支持具と別なる配管支持具とを隣接した状態で接続可能な構成を有することを特徴とする配管吊下支持具。
【００１１】
２．前記連結部材が、割りピン・割り鋲・ブラッズピン・トグラー・針金材の如き結線材・結束バンド・ネジとナット・ボルトとナットのいずれかであることを特徴とする上記１に記載の配管吊下支持具。
【００１２】
３．別なる配管支持具が、第１配管支持具の一方の側方に接続されて第２の配管を抱持支持する第２配管支持具、第１配管支持具の他方の側方に接続されて第３の配管を抱持支持する第３配管支持具であることを特徴とする上記１又は２に記載の配管吊下支持具。
【００１３】
４．別なる配管支持具が、バンド抱持部の両端部にバンド端部が連設された第１配管支持具と同様の構成を有することを特徴とする上記１〜３のいずれかに記載の配管吊下支持具。
【００１４】
５．前記取付面に一端が固定されて斜めに吊下げられる１本又は複数本の斜め吊下支持杆の他端を別なる配管支持具のバンド端部に接続することにより前記取付面から斜め支持が付加される構成であることを特徴とする上記４に記載の配管吊下支持具。
【発明の効果】
【００１５】
請求項１に示す発明によれば、軽量な合成樹脂管の配管を並列重連状態で複数本を吊下支持する場合において、必要充分な抱持支持を確保しつつ、より簡易な構成とすることによって低コスト化を図ることができる配管吊下支持具を提供することができる。
【００１６】
特に、第１配管支持具と別なる配管支持具との接続を、各々のバンド抱持部の円環方向に形成された長孔部の任意の位置に連結部材を挿通掛止することで可能である。第１配管支持具と別なる配管支持具は一般に広く用いられている基本構成のものに長孔部を穿つだけで得ることができ、これに簡易な構成の連結部材を用いて連結するだけの構成であるので低コストで提供することができる。
【００１７】
請求項２に示す発明によれば、連結部材が連結具・結束具・接続具として調達と取付けが容易な割りピン・割り鋲・ブラッズピン・トグラー・針金材の如き結線材・結束バンド・ネジとナット・ボルトとナットを用いているため低コストであると共に良好な作業性を有する。
【００１８】
請求項３に示す発明によれば、第１配管支持具の側方の両方に別なる配管支持具を接続することにより１点吊下支持であっても左右バランスを崩すことなく吊下支持が可能である。
【００１９】
請求項４に示す発明によれば、同一構成の配管支持具を用意することによって複数本の配管を並列重連状態で吊下支持することができるので低コスト化を図ることができる。
【００２０】
請求項５に示す発明によれば、１点吊下支持に斜め支持を付加する構成によって強い横揺れに対しても充分な防振（防震）性を発揮した状態で複数本の配管を並列重連状態で吊下支持ことができる。
【図面の簡単な説明】
【００２１】
【図１】本発明に係る配管吊下支持具の使用状態の一実施例を示す概略正面図（配管軸方向から見た図）
【図２】図１に示す配管吊下支持具の配管支持具を示す５面図（正面図、平面図、底面図、左側面図、Ａ−Ａ線断面図）
【図３】連結部材による接続状態を示す要部概略説明断面図
【図４】他の実施例の連結部材による接続状態を示す要部概略断面図
【図５】更に他の実施例の連結部材による接続状態を示す要部概略断面図
【図６】本発明に係る配管吊下支持具の使用状態の他の実施例示す概略正面図（配管軸方向から見た図）
【発明を実施するための形態】
【００２２】
次に、添付の図面に従って本発明を実施例に基づき詳細に説明する。
【００２３】
本発明に係る配管吊下支持具１は、図１に示すように、天井スラブ等の取付面５に垂設固定された吊りボルト６に吊下支持した第１配管支持具１０により第１配管Ｐ１を抱持支持すると共に、第１配管支持具に並列重連状態で接続した第２配管支持具２０・第３配管支持具３０により第２配管Ｐ２・第３配管Ｐ３を抱持支持するものである。
【００２４】
抱持支持する種々の配管Ｐとしては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管Ｐとして鋼管を排除するものではない。
【００２５】
本発明の配管吊下支持具１の具体的構成としては、図１〜図３に示すように、
複数本（本実施例では３本）の配管Ｐ１・Ｐ２・Ｐ３を取付面５から吊下支持する構成において、
配管吊下支持具１が、
バンド抱持部１１と該バンド抱持部１１の上端部に連接されたバンド端部１３を有して成り、前記取付面５に吊下固定される吊りボルト６に、タンバックルの如き吊下接続部材６１を介して前記バンド端部１３を接続することにより前記取付面２から略鉛直状態で１点吊下支持が可能であると共に、前記バンド抱持部１１に第１の配管Ｐ１を抱持支持可能な第１配管支持具１０と、
該第１配管支持具１０のバンド抱持部１１に隣接した状態で接続されるバンド抱持部２１・３１を有し、このバンド抱持部２１・３１に前記第１の配管Ｐ１とは別なる第２の配管Ｐ２・第３の配管Ｐ３を抱持支持可能な別なる第２配管支持具２０・第３配管支持具３０、
を有して成る構成であり、
更に、前記第１配管支持具１０のバンド抱持部１１、第２配管支持具２０のバンド抱持部２１、第３配管支持具３０のバンド抱持部３１の各々には、長孔部１１Ａ・２１Ａ・３１Ａが円環方向に形成されており、
第１配管支持具１０のバンド抱持部１１の長孔部１１Ａの任意の位置に、連結部材４・４の一端が挿通係止すると共に、第２配管支持具のバンド抱持部２１の長孔部２１Ａの任意の位置と、第３配管支持具３０のバンド抱持部３１の長孔部３１Ａの任意の位置と、に前記連結部材４・４の他端を各々挿通係止することにより、第１配管支持具１０に第２配管支持具２０・第３配管支持具３０を各々隣接した状態で接続可能な構成を主構成とするものである。
【００２６】
尚、符号１２・２２・３２はバンド抱持部１１・２１・３１の下端部分を接続する組式又は蝶番式（本実施例では蝶番式）の如き接続部を示す。接続部１２・２２・３２は、蝶番式に代えて組式であってもよいし、或いは、バンド抱持部１１・２１・３１を接続部１２・２２・３２の無い１本構成とした所謂提灯式の配管支持具等の公知公用のものを用いてもよい。尚また、符号１４は吊下接続部材５１にバンド端部１３を接続固定するためのボルト・ナットを示す。
【００２７】
以下、本発明の構成について更に詳説する。
【００２８】
本実施例では、第２配管支持具２０・第３配管支持具３０として、バンド抱持部２１・３１の両端部にバンド端部２３・３３が連設された構成、即ち、第１配管支持具１０と同様の構成を有するものが用いられている。符号２４・３４はバンド端部２３・３３を閉塞固定するためのボルト・ナットを示す。
【００２９】
本発明の配管吊下支持具１のうち、第１配管支持具１０・第２配管支持具２０・第３配管支持具３０については、この種の配管支持具に用いられる材料として公知公用のものを特別の制限なく用いることができ、好ましくはステンレスやその他の金属製、或いは合成樹脂製である。
【００３０】
バンド抱持部１１・２１・３１に形成される長孔部１１Ａ・２１Ａ・３１Ａは、連結部材１４を挿通可能であると共に係止可能な幅（配管軸方向における幅）であればよい。長孔部１１Ａ・２１Ａ・３１Ａが形成された各配管支持具１０・２０・３０は一般に広く用いられている基本構成を有する配管支持具のバンド抱持部に長孔部を穿つだけで得ることができるので極めて低コストで提供することができる。
【００３１】
連結部材４は、長孔部１１Ａ・２１Ａに挿通係止することによって第１配管支持具１０のバンド抱持部１１と第２配管支持具２０のバンド抱持部２１とを接続し、長孔部１１Ａ・３１Ａに挿通掛止することによって第１配管支持具１０のバンド抱持部１１と第３配管支持具３０のバンド抱持部３１とを接続するものであり、具体的には、割りピン・割り鋲・ブラッズピン・トグラー・針金材の如き結線材・結束バンド・ネジとナット・ボルトとナットのいずれかであることが好ましく、本実施例では割りピンが用いられている。連結部材４は、一般に広く用いられている簡易な構成の連結部材を用いているので低コストで提供することができる。
【００３２】
連結部材４を用いた接続構成は、図３に示すように、配管抱持前の第１配管支持具１０のバンド抱持部１１の内側から連結部材４を長孔部１１Ａに挿通し、次に第２配管支持具２０のバンド抱持部２１の長孔部２１Ａに連結部材４の先端を挿通した後、この連結部材４の先端を例えば割り開くことにより接続することができる。
【００３３】
かかる挿通係止による接続構成によれば、バンド抱持部１１に第１の配管Ｐ１を抱持させることによって連結部材４の頭部が抑えつけられるので長孔部１１Ａに安定した状態で挿通係止固定することができ、バンド抱持部２１に第２の配管Ｐ２を抱持させることによって連結部材４の先端についても例えば割り開かれた状態で第２の配管Ｐ２の外周面が当接状態で押圧することになるので抜け落ちることなく安定した状態で挿通係止固定することができる。第３の配管Ｐ３を抱持する第３配管支持具３０についても同様の接続構成によって第１配管支持具１０のバンド抱持部３１を接続することができる。
【００３４】
以上、本発明に係る配管吊下支持具の実施例について説明したが、本発明は上記構成に限定されず、本発明の範囲内において種々の態様を採ることができる。
【００３５】
上記実施例では、３つの配管支持具１０・２０・３０によって３本の配管Ｐ１・Ｐ２・Ｐ３を重連状態で吊下支持する構成であったが、吊りボルト６に吊下支持される第１は杆支持具１０の一方或いは他方の側方のみに別なる配管支持具を接続する構成であってもよいし、一方或いは他方のみに２つ以上の別なる配管支持具を接続してもよいし、一方に接続する別なる配管支持具の数と他方に接続する別なる配管支持具の数を異なる数としてもよい。
【００３６】
また、上記実施例では、第２配管支持具２０と第３配管支持具３０を第１配管支持具の斜め下方位置に接続する構成であったが、バンド抱持部１１・２１・３１の円環方向に形成された長孔部１１Ａ・２１Ａ・３１Ａの様々な位置を利用して接続してもよく、例えば、斜め上方でもよいし、真横でもよいし、最下方であってもよい。
【００３７】
更に、上記実施例では、連結部材４として割りピンを用いた構成であったが、他の連結具・接続具・結束具・結線材を用いることもでき、例えば、図４ではネジとナットの緊締による挿通係止構成を示す。
また、図５に示すように針金材の結線による挿通係止構成の場合は、長孔部１１Ａ・２１Ａ・３１Ａを各々平行する２本構成に形成することが好ましく、針金材を２本の長孔部１１Ａ・１１Ａと２本の長孔部２１Ａ・２１Ａを巻き回して結線することにより第１配管支持具１０と第２配管支持具２０とを接続し、２本の長孔部１１Ａ・１１Ａと２本の長孔部３１Ａ・３１Ａを巻き回して結線することにより第１配管支持具１０と第３配管支持具３０とを接続することができる。
【００３８】
更にまた、上記実施例では、取付面５に吊下固定される吊りボルト６による１点吊下支持構成であったが、例えば、図６に示すように、取付面５に一端が固定されて斜めに吊下げられる２本の斜め吊下支持杆７の他端を第２配管支持具２０のバンド端部２３・第３配管支持具３０のバンド端部３３に接続することにより前記取付面５から斜め支持が付加されることにより３点吊下支持構成とすることもできる。尚、斜めに吊下げられる吊下支持杆７の数は２本に限らず、１本でもよいし３本以上であってもよい。かかる構成によれば、１点吊下支持に斜め支持を付加する構成によって強い横揺れに対しても充分な防振（防震）性を発揮した状態で複数本の配管を並列重連状態で吊下支持することができる。尚、図６に示す実施例では、第２配管支持具２０と第３配管支持具３０は、バンド抱持部２１・３１を接続部２２・３２の無い１本構成とした所謂提灯式の配管支持具を用いた例を示している。
【符号の説明】
【００３９】
１  配管吊下支持具
１０  第１の配管支持具
１１  バンド抱持部
１１Ａ  長孔部
１２  接続部
１３  バンド端部
１４  ボルト・ナット
２０  第１の配管支持具
２１  バンド抱持部
２１Ａ  長孔部
２２  接続部
２３  バンド端部
２４  ボルト・ナット
３０  第１の配管支持具
３１  バンド抱持部
３１Ａ  長孔部
３２  接続部
３３  バンド端部
３４  ボルト・ナット
４  連結部材
５  取付面
６  吊りボルト
６１  吊下接続部材
７  斜め吊下支持杆
７１  ナット
Ｐ  配管
Ｐ１  第１の配管
Ｐ２  第２の配管
Ｐ３  第３の配管
【図１】
2020133757.tif 000003
【図２】
2020133757.tif 000004
【図３】
2020133757.tif 000005
【図４】
2020133757.tif 000006
【図５】
2020133757.tif 000007
【図６】
2020133757.tif 000008